【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
画像が投影されるべき面に光学的に読み取り可能な符号化パターンを備えた製品と、
前記製品の符号化パターンに基づいて得られる位置情報を、該位置情報に基づいて処理を行う外部ユニットへ送信する手段を備えた装置とを備え、
前記符号化パターンにより、前記面におけるそれぞれの部分にそれぞれの情報が符号化されており、
前記装置は、前記製品の面上で使用されて、前記面における部分に備えられている符号化パターンを検出するものであり、
前記位置情報は、前記装置が検出した前記面における部分に備えられている符号化パターンに基づいて得られる位置に関する情報であり、
前記外部ユニットにより生成された画像を、前記符号化パターンが備わっている前記面上に投影する手段を備えたプロジェクタを更に備えることを特徴とするシステム。
【請求項２】
前記外部ユニットは、前記位置情報に基づいて画像を生成することを可能にするソフトウェアを有することを特徴とする請求項１に記載のシステム。
【請求項３】
前記外部ユニットは、別のシステムから送信されてきた別の位置情報に基づいて画像を生成することを可能にするソフトウェアを有し、
前記別のシステムにおいて、前記別の位置情報は、別の製品の面上で別の装置により検出された該面における部分に備えられている符号化パターンに基づいて得られる位置に関する情報であることを特徴とする請求項１又は２に記載のシステム。
【請求項４】
前記製品は、書き込みボードとして使用されるものであり、
前記装置は、前記装置により前記書き込みボード上で書かれる情報を記録するために、書いている間に、前記面における複数の部分の各々に備えられている符号化パターンを連続的に検出するものであることを特徴とする請求項１〜３のいずれか１項に記載のシステム。
【請求項５】
前記符号化パターンは、
前記装置により前記製品の面上で書かれる情報を記録するための第１のエリアと、
前記第１のエリアの情報に関連して実行される機能又はコマンドとして解釈されるための第２のエリアとを含むものである請求項１〜４のいずれか１項に記載のシステム。
【請求項６】
前記外部ユニットは、前記第２のエリアからの位置情報を受信した場合、前記機能又はコマンドとして認識し、該機能又はコマンドに従った処理を行うものであることを特徴とする請求項５に記載のシステム。
【請求項７】
前記機能又はコマンドは、前記第１のエリアの情報の属性を変更するものであることを特徴とする請求項６に記載のシステム。
【請求項８】
前記製品の面上に投影される画像は、前記装置により前記面上で書かれた情報を含むことを特徴とする請求項１〜７のいずれか１項に記載のシステム。
【請求項９】
前記装置は、前記製品の面上に情報を書くためのペンを備えるものであることを特徴とする請求項１〜８のいずれか１項に記載のシステム。
【請求項１０】
前記装置は、前記製品の面上に情報を書くためのペンを装着するためのホルダーを備えるものであることを特徴とする請求項１〜８のいずれか１項に記載のシステム。
【請求項１１】
前記装置により取得される前記位置情報に関連してスピーチを記録するマイクロフォンと、該スピーチを前記外部ユニットへ送信する手段とを更に備えることを特徴とする請求項１〜１０のいずれか１項に記載のシステム。
【請求項１２】
投影される画像を前記製品の面に合わせることができるように、前記プロジェクタが、前記符号化パターンを用いて、前記面に対してキャリブレーションされることを特徴とする請求項１〜１１のいずれか１項に記載のシステム。
【請求項１３】
前記製品は、書き込みボードとして使用されるものであり、
前記装置は、前記装置により前記書き込みボード上で消される情報を記録するために、消している間に、前記面における複数の部分の各々に備えられている符号化パターンを連続的に検出するものであることを特徴とする請求項１〜１２のいずれか１項に記載のシステム。
【請求項１４】
前記製品の面上に投影される画像は、前記装置により前記面上で消された情報に基づくものであることを特徴とする請求項１〜１３のいずれか１項に記載のシステム。
【請求項１５】
前記装置として、
前記製品上に書かれる情報を扱う第１の装置と、
前記製品上で消される情報を扱う第２の装置とを備えることを特徴とする請求項１〜１４のいずれか１項に記載のシステム。
【請求項１６】
前記第２の装置は、前記製品の面上から情報を消すためのイレイサーを備えるものであることを特徴とする請求項１５に記載のシステム。
【請求項１７】
前記第２の装置は、前記製品の面上から情報を消すためのイレイサーを装着するためのホルダーを備えるものであることを特徴とする請求項１５に記載のシステム。
【請求項１８】
前記第１及び第２の装置が一つの同じ装置であることを特徴とする請求項１５に記載のシステム。
【請求項１９】
前記装置は、
現在位置に関する前記符号化パターンを検出するための光感応検出器と、
前記現在位置に関して検出された前記符号化パターンに基づいて、前記位置情報を、前記外部ユニットに送信するための通信手段とを備えるものであることを特徴とする請求項１〜１８のいずれか１項に記載のシステム。
【請求項２０】
前記装置が更に、連続する現在位置についての位置情報を記憶するメモリーを備えるものであることを特徴とする請求項１〜１９のいずれか１項に記載のシステム。
【請求項２１】
前記装置が更に、前記面における部分に備えられている符号化パターンを現在位置の座標対に変換するためのプロセッサを備え、
前記外部ユニットへ送信される位置情報が、前記座標対を含むことを特徴とする請求項１〜２０のいずれか１項に記載のシステム。
【請求項２２】
前記装置が更に、前記面における部分に備えられている符号化パターンを現在位置の座標対に変換し、連続する現在位置の座標対の少なくとも幾つかを一連のポリゴンに変換するためのプロセッサを備え、
前記外部ユニットへ送信される位置情報が、前記一連のポリゴンを含むことを特徴とする請求項１〜２０のいずれか１項に記載のシステム。
【請求項２３】
前記符号化パターンは、絶対位置符号化パターンのサブセットを含むものであり、
前記サブセットは、仮想表面上のある座標エリア内の複数の点の座標を符号化しており、
前記仮想表面は、前記絶対位置符号化パターンが符号化し得る全ての点を備えるものであり、
前記ある座標エリアが、手書き情報を受け取るという特定用途のために取り分けられたものであることを特徴とする請求項１〜２２のいずれか１項に記載のシステム。
【請求項２４】
前記符号化パターンの前記第１のエリアは、絶対位置符号化パターンの第１のサブセットを含むものであり、
前記第１のサブセットは、仮想表面上の第１の座標エリア内の複数の点の座標を符号化しており、
前記仮想表面は、前記絶対位置符号化パターンが符号化し得る全ての点を備えるものであり、
前記第１の座標エリアが、手書き情報を受け取るという特定用途のために取り分けられたものであり、
前記符号化パターンの前記第２のエリアは、前記絶対位置符号化パターンの第２のサブセットを含むものであり、
前記第２のサブセットは、前記仮想表面上の第２の座標エリア内の少なくとも１つの点の座標を符号化しており、
前記第２の座標エリアが、前記機能又はコマンドのために専用に取り分けられたものであることを特徴とする請求項５〜７のいずれか１項に記載のシステム。
【請求項２５】
前記符号化パターンは、複数のシンボルを並べて構成されるものであり、各シンボルは、シンボルの基準点からずれたところに配置されたマーキングを有し、各シンボルの値が、シンボルの基準点に対するマーキングの場所に依存して定められるものであることを特徴とする請求項１〜２４のいずれか１項に記載のシステム。
【請求項２６】
前記符号化パターンにより符号化されるそれぞれの情報は、複数のシンボルを用いて符号化されるものであり、第１の情報を符号化するのに用いられる複数のシンボルのうちの少なくとも一部が、第２の情報を符号化するのにも用いられるものであることを特徴とする請求項１〜２５のいずれか１項に記載のシステム。
【請求項２７】
前記符号化パターンは、前記装置の有する光感応検出器により赤外線で読み取られるように、構成されたものであることを特徴とする請求項１〜２６のいずれか１項に記載のシステム。